(57)【要約】【課題】  吐水流の流れを変化させることことにより、刺激感やマッサージ感を、使用者の好みに合わせて手元で変化させることを可能とする。  【解決手段】  本発明では、室内に旋回流を生じさせるよう設けられた入水部と、旋回流を吐水し負圧を形成するよう設けられた吐水口と、を有する旋回流発生室、を内包する筐体部と、前記筐体部に接続され吐水口よりも突出するガイド部と、前記ガイド部に設けられた流出部と、前記ガイド部に対して旋回軸方向に移動もしくは旋回軸周りに回転するよう設けられ前記流出部の開口位置を変更可能に設けられた開口位置変更手段と、を有するマッサージヘッドであることを特徴とする。【選択図】  図１
2005102813.tif 000002
【特許請求の範囲】
【請求項１】
室内に旋回流を生じさせるよう設けられた入水部と、
旋回流を吐水し負圧を形成するよう設けられた吐水口と、
を有する旋回流発生室と、
前記旋回流発生室を内包する筐体部と、
前記筐体部に接続され前記吐水口よりも突出するガイド部と、
前記ガイド部に設けられた流出部と、
前記ガイド部に対して旋回軸方向に移動もしくは旋回軸周りに回転するよう設けられ前記流出部の開口位置を変更可能に設けられた開口位置変更手段と、
を有することを特徴とするマッサージヘッド。
【請求項２】
前記開口位置変更手段は、前記流出部の開口面積を変更可能に設けられていることを特徴とする請求項１記載のマッサージヘッド。
【請求項３】
前記開口位置変更手段は、前記ガイド部に対して着脱自在に設けられていることを特徴とする請求項１〜２いずれか記載のマッサージヘッド。
【請求項４】
室内に旋回流を生じさせるよう設けられた入水部と、
旋回流を吐水し負圧を形成するよう設けられた吐水口と、
を有する旋回流発生室と、
前記旋回流発生室を内包する筐体部と、
前記筐体部との間に流出部を設けながら接続され前記吐水口よりも突出するガイド部であって、前記流出部の開口面積を変更可能なよう可動するガイド部と、
を有することを特徴とするマッサージヘッド。
【請求項５】
室内に旋回流を生じさせるよう設けられた入水部と、
旋回流を吐水し負圧を形成するよう設けられた吐水口と、
を有する旋回流発生室と、
前記旋回流発生室を内包する筐体部と、
前記筐体部との間に流出部を設けながら接続され前記吐水口よりも突出するガイド部と、
前記流出部の開口面積を変更可能なよう可動する流出部可変手段と、
を有することを特徴とするマッサージヘッド。
【請求項６】
使用者による操作の終了後にその変更された状態を保持する保持機構を有していることを特徴とする請求項１〜５いずれか記載のマッサージヘッド。
【請求項７】
室内に旋回流を生じさせるよう設けられた入水部と、
旋回流を吐水し負圧を形成するよう設けられた吐水口と、
を有する旋回流発生室と、
前記旋回流発生室を内包する筐体部と、
前記筐体部に少なくとも一部が接続され前記吐水口よりも突出するガイド部と、
前記ガイド部の一部もしくは前記ガイド部と前記筐体部との間に設けられた流出部と、
前記流出部の少なくとも一部に設けられたガイド部内側の水圧の上昇によって変形する水圧調整手段と、
を有していることを特徴とするマッサージヘッド。
【請求項８】
送水手段と、請求項１〜７のいずれか１つに記載のマッサージヘッドと、を備え、
前記送水手段から前記マッサージヘッドの前記入水部を介して前記旋回流発生室に水を供給し、使用者が前記マッサージヘッドの前記吐水口に形成される負圧部を利用した吸引マッサージを実施可能としたことを特徴とするマッサージシステム。
【発明の詳細な説明】
【技術分野】
【０００１】
本発明は、水道水又はポンプなどの水の圧力を利用して、マッサージヘッド内で旋回水流を形成し、その中心部に負圧を生じさせて吸引作用を持たせ、身体に吸引圧を作用させるマッサージヘッド及びこれを用いたマッサージシステムに関する。
【背景技術】
【０００２】
身体の皮膚表面をマッサージして血液の循環を活性化する美容や健康増進を目的としたマッサージ器は広く普及している。このような従来のマッサージ器としては、例えば電動式の肩たたき器や腰もみ器、減圧状態にした吸入孔を身体表面に吸着させて使う器具、等が知られている。
【０００３】
流体の流れを利用してマッサージ効果を得ようとするマッサージ装置として、旋回水流を用いて吸引マッサージを行うマッサージ器が発明されている。
従来の旋回水流を用いて吸引マッサージを行うマッサージヘッドは、マッサージヘッド外周に案内筒を設け、案内筒とマッサージヘッド本体との間から、吐水をマッサージヘッド後方に還流させている（例えば、特許文献１参照。）。 
このような場合、流れが安定するためマッサージ感が単調になっていまい使用者が飽きてしまうという問題があった。また、マッサージ感を使用者の好みに応じて変更することができず、使用者にとって不満の残る仕様となっていた。
【０００４】
また、拡開したガイド部の前部側に開口された流出部を設け、吐水を流出させているもある（例えば、特許文献２参照。）。
しかし、この場合も上記同様マッサージ感が単調になっていまい使用者が飽きてしまうという問題があった。 また、マッサージ感を使用者の好みに応じて変更することができず、使用者にとって不満の残る仕様となっていた。
【特許文献１】実開平４−５５３３７号公報
【特許文献２】特開２００３−３８３８２号公報
【発明の開示】
【発明が解決しようとする課題】
【０００５】
本発明は、上記問題を解決するためになされたもので、本発明の課題は、刺激感やマッサージ感を、使用者の好みに合わせて手元で調整することである。
【課題を解決するための手段】
【０００６】
上記目的を達成するために、本発明のマッサージヘッドは、
室内に旋回流を生じさせるよう設けられた入水部と、旋回流を吐水し負圧を形成するよう設けられた吐水口と、を有する旋回流発生室と、前記旋回流発生室を内包する筐体部と、前記筐体部に接続され前記吐水口よりも突出するガイド部と、前記ガイド部に設けられた流出部と、前記ガイド部に対して旋回軸方向に移動もしくは旋回軸周りに回転するよう設けられ前記流出部の開口位置を変更可能に設けられた開口位置変更手段と、を有することを特徴としている。
【０００７】
このように構成することによって、ガイド部に設けられた流出部において実質開口する位置を変更可能となるため、ガイド部内側の吐水流の流れを変化させることができる。筐体部の旋回流発生室内で形成された旋回流は、吐水口からガイド部内側に旋回しつつ円錐状に広がりながら吐水されていき、ガイド部先端および流出部よりガイド部外に流れ出ることになるが、流出部の開口位置が変更されるとガイド部先端側への吐水状態が変更されることになる。一方、ガイド部先端に人体被処理部位（マッサージさせたい人体部分）をあてがうと旋回流にて形成された負圧によって吸引マッサージされることはもちろん、吐水流によって押圧マッサージや振動マッサージをうけることになる。この際前述したように、手元にあるマッサージヘッドの開口位置変更手段の位置を変更することで、人体被処理部位に対する吐水状態が変更されることにより、上記マッサージ状態が変更されることになる。すなわち、刺激感やマッサージ感を使用者の好みに合わせて手元で変化させることが可能となる。この時、流出部の位置を旋回軸方向に移動させた場合、吸引感と押圧感のバランスを変化させることができ、流出部の位置を旋回軸周りに回転させた場合、押圧の作用部位を変化させることができる。いずれにしても、刺激感やマッサージ感を使用者の好みに合わせて手元で変化させることが可能となる。
【０００８】
また、本発明のマッサージヘッドは、
前記開口位置変更手段が、前記流出部の開口面積を変更可能に設けられているものとすることができる。
【０００９】
流出部の開口面積が変更可能に設けられているので、流出部からの流出量を変化させることができ、ガイド部先端側への吐水量を変更することができる。すなわち、皮膚への到達量を変化させることができるため、刺激感やマッサージ感を使用者の好みに合わせて手元で変化させることが可能となる。また、人体被処理部位をガイド部先端にあてがったときに、ガイド部先端と人体被処理部位との間からしみでる流出量を変化させることができるため、人体皮膚上をマッサージする移動性を変化させることができる。
【００１０】
また、本発明のマッサージヘッドは、
前記開口位置変更手段が、前記ガイド部に対して着脱自在に設けられているものとすることができる。
【００１１】
開口位置変更手段が着脱可能なため、開口位置変更手段を交換することが可能である。すなわち、開口位置変更手段を複数用意し、流出部の状態をそれぞれ異なるものとすることができるよう構成することによって、刺激感やマッサージ感を使用者の好みに合わせて手元で変化させることが可能となり、また、可変領域を増やすことが可能となる。さらに、使用者毎に交換できるため、衛生感も向上する。この際、開口位置変更手段に色を付けたり、好みのマークを付けたりすることにより、使用者各個人の好みにあったマッサージ感を演出する開口位置変更手段を容易に識別可能となる。
【００１２】
また、本発明のマッサージヘッドは、
室内に旋回流を生じさせるよう設けられた入水部と、旋回流を吐水し負圧を形成するよう設けられた吐水口と、を有する旋回流発生室と、前記旋回流発生室を内包する筐体部と、前記筐体部との間に流出部を設けながら接続され前記吐水口よりも突出するガイド部であって、前記流出部の開口面積を変更可能なよう可動するガイド部と、を有することを特徴としている。
【００１３】
このように構成することによって、流出部からの流出量を変化させることができ、ガイド部先端側への吐水量を変更することができる。すなわち、皮膚への到達量を変化させることができるため、刺激感やマッサージ感を使用者の好みに合わせて手元で変化させることが可能となる。また、人体被処理部をガイド部先端にあてがったときに、ガイド部先端と人体被処理部との間からしみでる流出量を変化させることができるため、人体皮膚上をマッサージする移動性を変化させることができる。また、流出部はガイド部と筐体部との間に形成されており、簡便な構造とすることができる。また、流出部の開口面積の変化は、ガイド部の動きと連動するため、使用者の人体被処理部への押し当て状態によって変化させることができ、使用者の操作性が向上する。
【００１４】
また、本発明のマッサージヘッドは、
室内に旋回流を生じさせるよう設けられた入水部と、旋回流を吐水し負圧を形成するよう設けられた吐水口と、を有する旋回流発生室と、前記旋回流発生室を内包する筐体部と、前記筐体部との間に流出部を設けながら接続され前記吐水口よりも突出するガイド部と、前記流出部の開口面積を変更可能なよう可動する流出部可変手段と、を有することを特徴としている。
【００１５】
このように構成することによって、流出部からの流出量を変化させることができ、ガイド部先端側への吐水量を変更することができる。すなわち、皮膚への到達量を変化させることができるため、刺激感やマッサージ感を使用者の好みに合わせて手元で変化させることが可能となる。また、人体被処理部をガイド部先端にあてがったときに、ガイド部先端と人体被処理部との間からしみでる流出量を変化させることができるため、人体皮膚上をマッサージする移動性を変化させることができる。
【００１６】
また、本発明のマッサージヘッドは、
使用者による操作の終了後にその変更された状態を保持する保持機構を有しているものとすることができる。
【００１７】
保持機構を有していることによって、使用者が設定した好みの状態を維持できるので、さらに操作性が向上する。
【００１８】
また、本発明のマッサージヘッドは、
室内に旋回流を生じさせるよう設けられた入水部と、旋回流を吐水し負圧を形成するよう設けられた吐水口と、を有する旋回流発生室と、前記旋回流発生室を内包する筐体部と、前記筐体部に少なくとも一部が接続され前記吐水口よりも突出するガイド部と、前記ガイド部の一部もしくは前記ガイド部と前記筐体部との間に設けられた流出部と、前記流出部の少なくとも一部に設けられたガイド部内側の水圧の上昇によって変形する水圧調整手段と、を有していることを特徴としている。
【００１９】
このように構成することによって、ガイド部内圧によって流出部からの流出量を変更でき、吐水流の流出状態を変化させることができるので、マッサージ感が変化し、使用者は好みのマッサージ感に合わせることができる。
また、流出部からの流出量がガイド部内圧によって自動的に変更されるため、急激な水圧変動が起きても、吐水流による皮膚への押圧効果を適度に保つことができ、快適にマッサージを行うことが可能となる。
【００２０】
また、本発明のマッサージシステムは、
送水手段と、請求項１〜７のいずれか１つに記載のマッサージヘッドと、を備え、前記送水手段から前記マッサージヘッドの前記入水部を介して前記旋回流発生室に水を供給し、使用者が前記マッサージヘッドの前記吐水口に形成される負圧部を利用した吸引マッサージを実施可能としたことを特徴としている。
【００２１】
このように構成することによって、刺激感やマッサージ感を、使用者の好みに合わせて手元で変化させることができるマッサージシステムを提供できる。その結果として、限られた送水能力を十分に生かして、効率のよいマッサージが可能なマッサージシステムを提供できる。
【発明の効果】
【００２２】
本発明によれば、流出部の位置や面積を変化させることで吐水流の流れを変化させることが可能となり、これにより、刺激感やマッサージ感を使用者の好みに合わせて手元で変化させることができ、使用者が快適にマッサージを行うことができる。
【発明を実施するための最良の形態】
【００２３】
以下、本発明の実施の形態について、図面を参照しつつ説明する。
【００２４】
図１は、本発明の実施の形態にかかるマッサージヘッドの斜視図であり、図２はその正面図、図３は図２のＡ−Ａ線断面図である。また、図４は図１のガイド部及び開口位置変更手段を分離させた分解図である。また、図５は図３のＢ−Ｂ線断面である。図６は、図１の状態から開口位置変更手段を９０°回動させた状態の斜視図である。
本実施形態のマッサージヘッド１は、旋回流発生室１１を内包する筐体部１０と筐体部１０に接続され吐水口７よりも旋回軸Ｚの吐水方向（図３の紙面右側）に突出形成されているガイド部２０と、ガイド部２０に対して旋回軸Ｚ回りに回動自在に設けられた開口位置変更手段３０と、からなる。旋回流発生室１１は、断面が略円型である旋回流発生部８と、旋回流発生部８の周壁の略接線方向に水を導入する入水部６と、吐水口７を有し旋回流発生部８から吐水口７へと断面積が滑らかに変化するよう設けられた旋回流路９を有する吐水部３と、から構成されている。筐体部１０は上記旋回流発生室１１を内包し、入水部６へ連通するよう開口された導入路５を内部に有する接続部４と接続されている。図３において筐体部１０は、旋回室発生部８と入水部６とを内包する部位１０αと、吐水部３を内包する部位１０βと、により形成されている。
【００２５】
入水部６から導入された水は、旋回流発生部８の周壁に沿った旋回流ＣＦを形成可能とされている（図５）。ここで、旋回流ＣＦを効率的に形成するためには、入水部６は旋回流発生部８の周壁の接線方向に開口していることが望ましい。但し、入水部６が、周壁に対して正確に接線方向に開口しておらず、その開口方向あるいは開口位置に接線方向からの「ずれ」があるような場合でも、旋回流が形成されればよい。
またここで、「入水部」とは、旋回流発生部８に水を導入するために旋回流発生部８の内壁に設けられた開口、または旋回流発生部８に対する水の導入方向を実質的に決定する水路、の少なくともいずれかをいうものとする。例えば、図５に表した断面図においては、導入路５と旋回流発生部８とを連通している水路を「入水部」ということができる。
また、本実施例では、旋回流発生部８に入水部６が設けられているが、旋回流路９に対して設けられていてもよい。
【００２６】
入水部６は、旋回軸Ｚに対して平行な方向に沿った幅Ｗ１を、旋回軸Ｚに対して垂直な方向に沿った幅Ｗ２よりも大きい扁平形状とすることができる。これにより、旋回流発生部８において、旋回軸Ｚからの入水位置が遠くなるので水流に与える旋回モーメントが増加し旋回流ＣＦを十分に発達させやすくなる。つまり、このように入水部６を扁平形状とすることにより、効率良く旋回流を発達させて強い吸引力を得ることができる。このため、少ない送水能力でも強い吸引力が得られ、顕著な各種の生体効果が得られると同時に、ランニングコストや設置スペースなどの削減も可能となる。
【００２７】
入水部６から吐水口７へ至る旋回流発生室１１の形状は、本実施例のように「絞り」が設けられている形状であっても、略円筒状であっても構わない。つまり、旋回流発生部８および旋回流路９の内径と吐水口７の開口径とがほぼ同一である形状であってもよい。このような形状を採用すると、「絞り」が設けられている形状と比較して水流の圧力損失を低くすることができ、給水圧力に対して得られる流量を増やすことができる。その結果として、旋回流ＣＦの流量を増加させ、強い吸引押圧作用を得ることができる。
またさらに、このような単一の円筒状の形状は、製造が極めて容易であり、コストも下げることが可能となる。すなわち、旋回流発生部８と入水部６とを内包する部位１０αと、吐水部３を内包する部位１０βと、を一体成型することが可能となるからである。成型の際の引き抜き条件として、旋回流発生部８および旋回流路９の内径を吐水口７に向けてやや拡がるよう形成するのが望ましいが、本発明はこのようなテーパ状の形状を有するものも包含する。
また、旋回流発生部８の吐水口７に対向する底面に、外気と通じる小穴を設け、旋回流発生部８内に空気を導入するようにし、旋回吐水に気泡を混入するよう構成してもよい。
【００２８】
接続部４は、例えば一般のシャワーヘッドと交換可能なようにネジ等を設けておけば、シャワーホースに連結することができ、水道直結型として使用することができる。また、例えばブロー浴器の噴出口に接続可能にネジ等を設けておけば、浴槽水循環型として使用することができる。
【００２９】
ガイド部２０は、旋回軸Ｚに垂直な断面が、旋回軸Ｚに対して略対称な円形である略円筒形状を成しており、内部に吐水口７を包含するよう一端にて筐体部１０に接続され、もう片方の一端（開放端６０）にて開口されている。そして、ガイド部２０は、その側面に流出部４０を有する。尚、断面が円型であれば、円筒状はもとより、内外径が旋回軸Ｚ方向に関して不均一のものであってもよく、例えば開放端６０に向けて内径が拡がる拡開状の筒状や、逆に開放端６０に向けて内径が狭まる絞り状の筒状であってもよい。
また、開放端６０はマッサージ時に人体に接触する可能性がある部分であるので、安全性や使用感の向上のために、適宜Ｒ付け等の処理が施されるのが望ましい。
【００３０】
本実施形態における開口位置変更手段３０は、ガイド部２０の外側に、ガイド部２０の形状に合わせてリング状に形成され配置されており、ガイド部２０と同軸上に配置することにより、旋回軸Ｚ回りに回動自在となっている。すなわち、開口位置変更手段３０も、ガイド部２０と同様、略円筒形状を成している。また、開口位置変更手段３０は、その側面に流出制御口５０を有している。
こうして、開口位置変更手段３０は、旋回軸Ｚ回りに、ガイド部２０に対して回動自在となっており、図６の矢印Ｋ１方向に回動することができる。
また、開口位置変更手段３０の筐体部１０側ではない一端（以後、端部６４と呼ぶ）はマッサージ時に人体に接触する可能性がある部分であるので、安全性や使用感の向上のために、適宜Ｒ付け等の処理が施されるのが望ましい。
【００３１】
ガイド部２０と開口位置変更手段３０は、ガイド部２０の外側面に設けられた突起６１と開口位置変更手段３０の内側面の周方向に設けられた回動溝６２とを嵌合することにより、回動自在な関係となる。もちろん、突起６１と回動溝６２は、ガイド部２０と開口位置変更手段３０のどちらに設けられていてもよく、また、突起６１は、円周方向に連続したものであってもよい。また、回動溝６２は、回動角度を制限するよう、周方向の適当な範囲に設けられていてもよい。
【００３２】
ガイド部２０に設けられた流出部４０と開口位置変更手段３０に設けられた流出制御部５０は、回動自在に設けられた状態において、連通可能に設けられている。ガイド部２０の内部と開口位置変更手段３０の外部とは、それらの側壁において、流出部４０と流出制御部５０とによって連通され（以後、流出経路と呼ぶ）、開口位置変更手段３０が回動することによって、その流出経路が回動し、位置が変更されることになる。すなわち、流出部４０の開口位置は、流出制御部５０の位置によって決定される。尚、流出部４０を形成する枠部６５の位置に流出制御部５０が移動してきた場合には、枠部６５と流出制御部５０の大きさによっては、流出経路の面積が変化したり、あるいは流出経路が閉ざされる状態にもなる。
ここで、流出部４０の大きさや個数、および流出制御部５０の大きさや個数は、それぞれ適宜設計される。すなわち、単数でも複数でもよい。本実施例では、流出部４０が４つ、流出制御部５０が２つ設けられており、流出部４０の開口面積の方が流出制御部５０の開口面積よりも周方向に大きく開口されている。これにより、流出経路の移動幅が大きくできる。
また、流出部４０および流出制御部５０は、それぞれ、周方向にバランスをもって均等に配置しても構わないし、逆にバランスをくずして不均等に配置してもよい。不均等の場合は後述するマッサージ感を大きく変化させることが可能となる。
【００３３】
このように構成されていることで、開口位置変更手段３０を回動させることにより、図１の状態（流出経路が紙面左右方向）や図６の状態（流出経路が紙面上下方向）等、自在に変化させることが可能となっている。
【００３４】
次に、マッサージヘッドのマッサージ動作について説明する。
図示しない送水手段から送られた水は、接続部４内の導入路５を通り、入水部６を介して旋回流発生室１１へと導入される。入水部６は旋回流発生部８の周壁の接線方向に開口しているため、旋回流発生部８内に導入された水は、旋回流ＣＦを形成する。この旋回流ＣＦは、旋回流路９内で徐々に流速を速めながら吐水口７に達し、吐水口７から円錐状の旋回吐水ＣＴとなって吐水される。この時、旋回流ＣＦが持つ遠心力によって、旋回流発生部８および吐水部３の中心部に負圧部が生じるため、吐水口７の中心軸に沿ってマッサージヘッド１の外から旋回流発生室１１の中へ引き込もうとする力（以後、吸引力ＮＦと呼ぶ）が生じる。
【００３５】
図７は図１に対応した断面図、図８は図６に対応した断面図であり、それぞれ人体の被処理部位８０に吸引力ＮＦが作用する状態を表している。
このように吸引力が発生している状態において、人体の被処理部位８０をマッサージヘッド１のガイド部２０の開放端６０に近づけると、吸引力ＮＦが作用し、人体の被処理部位８０はマッサージヘッド１内部側に吸引され、ガイド部２０内部、場合によっては吐水口７よりも内部へと吸引される。一方、旋回吐水ＣＴは、吐水口７と人体の被処理部位８０との間に連続的な水膜を形成し、人体の被処理部位８０をドーナツ状に押している。つまり、人体の被処理部位８０は、旋回吐水ＣＴによる押圧力ＰＦと吸引力ＮＦとを同時に受けるというマッサージ感を得ることができる。また、旋回流が有する旋回成分により、被処理部位８０に対して「ねじり」を含む振動が与えられ、「揉みほぐし」の効果も得られる。
【００３６】
これにより、被処理部位８０は立体的にマッサージを受けることが可能であり、血行促進を促す等の効果がある。人体の被処理部位８０の形状等を考慮すると、吐水口７の径Ｌ２は、φ５ｍｍ〜φ８０ｍｍの範囲内にあることが望ましい。吐水口７の径Ｌ２がφ８０ｍｍよりも大きいと人体の起伏にそって操作しづらく、また装置が大きくなるため操作性に乏しい。逆に、吐水口７の径Ｌ２がφ５ｍｍよりも小さいと、人体に対してマッサージ効果及びマッサージ感が乏しくなる。
また、旋回吐水ＣＴおよび吸引力ＮＦは吐水口７からの距離によって変化するので、吐水口７から人体被処理部位８０までの距離を変化させることで作用力を変化でき、使用者に与えるマッサージ感を変化させることもできる。但し、距離が遠すぎると、吸引力ＮＦが減少し人体への作用が少なくなるので、吐水口７から開放端６０までの旋回軸Ｚに沿った方向の長さＬ４（以後、ガイド高さと呼ぶ）は、５０ｍｍ以下とするのが望ましい。
また、ガイド部２０の開放端６０の径Ｌ３は、人体の被処理部位８０の形状等を考慮すると、φ５ｍｍ〜φ８０ｍｍの範囲内にあることが望ましい。開放端６０の径Ｌ３がφ８０ｍｍよりも大きいと人体の起伏にそって操作しづらく、また装置が大きくなるため操作性に乏しい。逆に、開放端６０の径Ｌ３がφ５ｍｍよりも小さいと、人体に対してマッサージ効果及びマッサージ感が乏しくなる。
本実施例の典型値としては、吐水口７の径Ｌ２がφ４０ｍｍ、開放端６０の径Ｌ３がφ６０ｍｍ、旋回室８の径Ｌ１がφ４５ｍｍ、ガイド高さＬ４が１５ｍｍ、である。
【００３７】
ここで、流出経路が違う場合の効果ついて述べる。
図７における断面では、ガイド部２０の流出部４０は、開口位置変更手段３０によって閉じられ、紙面上下方向への流出経路は閉ざされている（紙面手前−奥方向への流出経路が開いている）。このような状態では、吐水口７からガイド部２０内へと吐水された吐水流は、ガイド部２０の開放端６０付近で人体の被処理部位８０を押し、開放端６０と人体の被処理部位８０との間からしみだしていくことになる。すなわち、人体の被処理部位８０は、旋回中央の吸引力に加えてその周囲が旋回吐水により押され、人体は強い押圧感を受けることになる。
【００３８】
一方、図８における断面では、ガイド部２０の流出部４０は、開口位置変更手段３０の流出制御部５０と連通し、紙面上下方向への流出経路が形成されている（紙面手前−奥方向への流出経路は閉ざされている）。このような状態では、吐水口７からガイド部２０内へと吐水された吐水流は、流出経路から流出してゆき、ガイド部２０の開放端６０付近への到達量は減り、ガイド部２０の開放端６０と人体の被処理部位８０との間からしみだしていく量は減少する。すなわち、人体の被処理部位８０が旋回吐水により受ける押圧力は減り、人体が感じる押圧感が減少する。また、開放端６０付近への吐水流の影響が少なくなることから、吸引力ＮＦによって吸引される領域が増え、吸引感を増すことになる。
【００３９】
以上のことから、人体の被処理部位８０のガイド部２０内に吸引されている部分の開放端６０付近において、流出経路が閉ざされている側では押圧感が強く、流出経路が形成されている側では吸引感が強い、といったマッサージ感に異なるバランスをもたせることができる。すなわち、被処理部位８０の円周方向に異なるマッサージ感を得ることが可能となり、好みのマッサージ感に合わせることが可能となる。さらに、本実施例においては、開口位置変更手段３０がガイド部２０に対して回動自在に設けられているため、使用者は開口位置変更手段３０を回転させることにより、異なるマッサージ感を回転移動させることが可能となる。
よって、ガイド部２０の開放端６０を人体にあてがい、固定してマッサージをしている場合でも、開口位置変更手段３０を回転させるだけで、異なるマッサージ感を得ることが可能となり、快適なマッサージ感を得ることができる。
【００４０】
このとき、流出経路を形成する流出部４０と流出制御部５０は、旋回吐水ＣＴの吐水角度を考慮して形成されるのが望ましい。すなわち、旋回吐水ＣＴがガイド部２０に衝突する部分付近、またはその部分よりも開放端６０側に、流出部４０を形成し、流出経路を形成するのが望ましい。これにより、流出経路が形成されている部分においては、旋回吐水流はスムーズに流出経路から流れ出ることが可能となり、異なるマッサージ感の差を大きくできる。
【００４１】
また、開口位置変更手段３０の外側に突起等を設けてもよい。これにより、使用者はマッサージヘッド１を持ちながら、指を突起等に引っ掛けることで容易に開口位置変更手段３０を操作することが可能となり、より操作性が向上し、快適にマッサージを行うことが可能となる。
【００４２】
また、本実施例では、ガイド部２０の開放端６０の方が、開口位置変更手段３０の端部６４よりも突出しており、開放端６０を人体の被処理部位８０にあてがうことでマッサージを行う例を述べたが、開口位置変更手段３０の端部６４の方が、ガイド部２０の開放端６０よりも突出していてもよい。この場合、端部６４を人体の被処理部位８０にあてがうことでマッサージを行うことになり、マッサージヘッド１を旋回軸Ｚ回りに回転させることで、前述の異なるマッサージ感を得ることが可能となる。
【００４３】
また、ガイド部２０に対して開口位置変更手段３０が外装されている例を述べたが、内装されていても同様の効果が得られる。
【００４４】
また、ガイド部２０に対して開口位置変更手段３０を着脱可能に設けることもできる。
すなわち、図４のように、装着溝６３を開口位置変更手段３０の筐体部側の端部から回動溝６２へと設けることで、開口位置変更手段３０は、ガイド部２０に対して着脱自在となる。
着脱可能となることにより、開口位置変更手段を交換することが可能である。すなわち、開口位置変更手段を複数用意し、流出部の状態をそれぞれ異なるものとすることができるよう構成することによって、刺激感やマッサージ感を使用者の好みに合わせて手元で変化させることが可能となり、また、可変領域を増やすことが可能となる。
さらに、ガイド部２０の開放端６０よりも開口位置変更手段３０の端部６４の方が突出しており、使用者が端部６４を人体に接触させて使用する場合には、開口位置変更手段３０を使用者毎に交換できるため、衛生感も向上する。この際、開口位置変更手段３０に色付けしたり、好みのマークを付けたりすることにより、使用者各個人の好みにあったマッサージ感を演出する開口位置変更手段３０を容易に識別可能となる。
また、装着時に旋回流ＣＦの向きと同じ方向に回しながら装着するように装着溝６３を設けることで、旋回吐水ＣＴが開口位置変更手段３０に与える旋回力によって、開口位置変更手段３０がガイド部２０から不本意に取れてしまうことを未然に予防することができる。
【００４５】
また、使用者による操作の終了後にその変更された状態を保持する保持機構を有しているよう、構成されていてもよい。
図９は、本実施例の変形例のガイド部及び開口位置変更手段の側面図である。
前述同様、流出部４０Ｂを有するガイド部２０Ｂと、ガイド部２０Ｂに対して回動自在に設けられ流出制御部５０Ｂを有する開口位置変更手段３０Ｂとから構成されている。さらに、ガイド部２０Ｂは板バネ６６Ｂを内蔵し、開口位置変更手段３０Ｂはそのガイド部２０Ｂ側の端部に固定溝６７Ｂを有し、保持機構が形成されている。つまり、開口位置変更手段３０Ｂがガイド部２０Ｂに装着されたときに、板バネ６６Ｂが固定溝６７Ｂに係合することで、開口位置変更手段３０Ｂのガイド部２０Ｂに対する位置を保持させることができる。すなわち、流出部４０Ｂと流出制御部５０Ｂからなる流出経路の位置を保持可能となっている。
使用者は、開口位置変更手段３０Ｂを回動させることによって、流出経路の位置を変更し、マッサージ感を好みに合わせて変更することができるが、さらに調節した位置を保持させることが可能となり、使用者の使用感が向上する。
このような保持機構としては、圧縮バネ、引張バネ、トーションバネ等の各種バネを用いたタイプの機構や、突起と溝を契合させるタイプの機構を用いることによって構成することも可能である。
また、周方向全体にわたって固定可能なように全周に溝を設けてもよいし、移動範囲を限定するように限定部分に溝を設けてもよい。
【００４６】
つぎに、本発明の第２の実施例として、流出部の開口面積を変化させることが可能である開口位置変更手段を備えたマッサージヘッドについて説明する。
図１０は、第２の実施例の斜視図である。また、図１１は、第２の実施例のガイド部及び開口位置変更手段の流出経路の開度状態を示す側面図である。
第２の実施例のマッサージヘッド１Ｃも、前述同様の旋回流発生室を内包する筐体部１０Ｃを有しており、また同様に吐水方向（図１０の紙面右側）に突出形成されており流出部４０Ｃを有するガイド部２０Ｃと、ガイド部２０Ｃに対して回動自在に設けられ流出制御部５０Ｃを有する開口位置変更手段３０Ｃを有している。すなわち開口位置変更手段３０Ｃは旋回軸周りにガイド部２０Ｃに対して回動する（図１０の矢印Ｋ２方向）。
【００４７】
ここで、流出部４０Ｃの大きさや個数、および流出制御部５０Ｃの大きさや個数は前述同様適宜設計される。本実施例では、流出部４０Ｃが４つ、流出制御部５０Ｃが２つ設けられ、流出部４０Ｃの形状と流出制御部５０Ｃの形状はほぼ同一に形成されている。また、流出部４０Ｃは、ガイド部２０Ｃの周方向において、その周方向長さ以上の枠部６５Ｃを有するように形成されている。すなわち、流出制御部５０Ｃが枠部６５Ｃによって閉ざされてしまう回動位置が存在する。
【００４８】
このように構成されている本実施例では、開口位置変更手段３０Ｃをガイド部２０Ｃに対して回動することにより、流出部４０Ｃと流出制御部５０Ｃとからなる流出経路の位置はもとよりさらに面積を変化させることが可能となる。すなわち、流出部４０Ｃは紙面上下左右に４ヶ所設けられているが、流出制御部５０Ｃが紙面上下もしくは左右位置に来た場合は流出経路が最大になり、その位置から回動すると面積が減少し、ついには流出経路を閉ざしてしまう状態まで変化できる。
図１１を用いて説明すると、図１１（ａ）は流出経路が全開状態であり、図１１（ｂ）は流出経路が半開状態であり、図１１（ｃ）は流出経路が閉ざされている状態である。図１１（ａ）〜図１１（ｃ）の状態は、開口位置変更手段３０Ｃを回動させることで、使用者は容易に得ることができる。
【００４９】
面積が変化可能であるため、前述したマッサージ感の変化をさらに大きくできる。すなわち、流出経路が閉じた場合には、ガイド部全周において図７のような状態となるため押圧感をさらに増すことができる。また、流出経路が形成された場合は、図８のような状態となり、押圧感は減少し、吸引感が増す。
また、面積が変化可能であるため、好みの押圧感と吸引感のバランスを調整可能となり、使用者の使用感が向上する。さらには、ガイド部２０Ｃの開放端６０Ｃと人体の被処理部位との間から流れ出る水量を調整可能となるので、開放端６０Ｃを人体上にあてがいながらマッサージヘッド１Ｃを移動させる場合の操作感が調整でき、操作性が向上する。
【００５０】
本実施例においても、前述したように着脱自在に設けたり、保持機構を設けたりしてもよく、これらの場合、前述したと同様の効果が得られる。
【００５１】
つぎに、本発明の第３の実施例として、流出部の開口位置が旋回軸に沿った方向に変化させることが可能となっている開口位置変更手段を備えたマッサージヘッドについて説明する。
図１２は第３の実施例の斜視図であり、図１３は図１２のガイド部及び開口位置変更手段を分離させた分解図である。また、図１４は、図１２の状態から開口位置変更手段を筐体部側に押し込んだ状態を示す斜視図である。
第３の実施例のマッサージヘッド１Ｄも、前述同様の旋回室発生室１１Ｄを有する筐体部１０Ｄを有しており、また同様に吐水方向（図１２の紙面右側）に突出形成されており流出部４０Ｄを有するガイド部２０Ｄを有している。さらに、ガイド部２０Ｄに対して旋回軸に沿った方向（図１４の矢印Ｓ１方向）に移動自在に設けられた開口位置変更手段３０Ｄを有している。
【００５２】
本実施形態において、開口位置変更手段３０Ｄは、ガイド部２０Ｄの外周に、ガイド部２０Ｄの形状に合わせてリング状に形成されており、ガイド部２０Ｄと同軸上に配置することにより、旋回軸に沿った方向に移動可能となっている。
すなわち、ガイド部２０Ｄ及び開口位置変更手段３０Ｄは、その可動する部分において、略筒状となっているのが望ましく、旋回軸に沿った方向に移動がスムーズになる。尚、略筒状とは、円筒状や多角筒状等の形状を含むものである。
【００５３】
ガイド部２０Ｄと開口位置変更手段３０Ｄは、ガイド部２０Ｄの外側面に設けられた突起６１Ｄと開口位置変更手段３０Ｄの内側面に旋回軸方向に沿って設けられた移動溝６８Ｄとを嵌合することにより、旋回軸に沿った方向に移動自在な関係となる。
このとき、移動溝６８Ｄを開口位置変更手段３０Ｄの筐体部１０Ｄ側の端部から形成しておけば、開口位置変更手段３０Ｄの着脱が容易となり、着脱自在な構成を実現できる。
また、移動溝６８Ｄに連続して固定溝６７Ｄを周方向に設けることで、開口位置変更手段３０Ｄの旋回軸に沿った方向の位置を固定することができる。これにより、使用者が好みに合わせて調整した開口位置変更手段３０Ｄの位置を固定することができ、使用者の操作性が向上する。このとき、固定溝６７は、旋回流の向きを考慮して設けられるのが望ましい。本実施例の場合、マッサージヘッド１Ｄの吐水口側から見たとすると、入水部の入水方向から旋回流は反時計回りに形成され吐水されるため、開口位置変更手段３０Ｄにも反時計回りの力が作用する。よって固定溝６７Ｄが移動溝６８Ｄから時計回りに形成されていれば、旋回流によって開口位置変更手段３０Ｄが回転したとしても、突起６１Ｄは固定溝６７Ｄの周方向奥側に移動することになり、不本意に外れてしまうことはなく、使用者にとって好ましい装置構成となる。
【００５４】
ガイド部２０Ｄは、流出部４０Ｄを有している。流出部４０Ｄの旋回軸に沿った方向の長さは、開口位置変更手段３０Ｄの旋回軸に沿った方向の長さよりも長くなっており、開口位置変更手段３０Ｄの位置によらず必ず流出部４０Ｄによって形成される流出経路が形成されるよう構成されている。すなわち、開口位置変更手段３０Ｄによって流出部４０Ｄはその一部が塞がれる状態となるが、残された開放部分によって流出経路が形成される。よって、開口位置変更手段３０Ｄが旋回軸に沿った方向に移動することによって、流出部４０Ｄの開口位置が移動し、流出経路が旋回軸に沿った方向に移動することになる。
【００５５】
次に、マッサージヘッドのマッサージ動作について説明する。
人体の被処理部位８０Ｄにガイド部２０Ｄの開放端６０Ｄをあてがうと、筐体部１０Ｄ内の旋回流発生室１１Ｄにて形成された旋回流によって、負圧部を生じ、人体に対して吸引と押圧の作用を及ぼすことは、前述した通りである。
第３の実施例では、流出経路を旋回軸に沿った方向に移動し変化させることができる。これにより、以下のような効果を得ることが可能となる。
【００５６】
図１５は図１２の断面図である。開口位置変更手段３０Ｄがガイド部２０Ｄの開放端６０Ｄ側に位置しているため、筐体部１０Ｄ側の流出部４０Ｄが開放されており、筐体部１０Ｄ側に流出経路が形成されている。このような状態では、ガイド部２０Ｄ内へと吐水された吐水流は、ガイド部２０Ｄの開放端６０Ｄ付近で人体の被処理部位８０Ｄを押し、反転して筐体部１０Ｄ側の流出経路から流出すると共に、開放端６０Ｄと人体の被処理部位８０Ｄとの間からしみだしていく。すなわち、人体の被処理部位８０Ｄは、旋回中央の吸引力に加えてその周囲が旋回吐水により押され、人体は強い押圧感を受けることになる。
【００５７】
一方、図１６は図１４の断面図である。開口位置変更手段３０Ｄが筐体部１０Ｄ側に位置しているため、ガイド部２０Ｄの開放端６０Ｄに近い側の流出部４０Ｄが開放されており、開放端６０Ｄ側に流出経路が形成されている。このような状態では、ガイド部２０Ｄ内へと吐水された吐水流は、流出経路から流出してゆき、ガイド部２０Ｄの開放端６０Ｄ付近への到達量は減り、ガイド部２０Ｄの開放端６０Ｄと人体の被処理部位８０Ｄとの間からしみだしていく量は減少する。すなわち、人体の被処理部位８０Ｄが旋回吐水により受ける押圧力は減り、人体が感じる押圧感が減少する。また、開放端６０Ｄ付近への吐水流の影響が少なくなることから、吸引力ＮＦによって吸引される領域が増え、吸引感を増すことになる。
【００５８】
以上のことから、人体の被処理部位８０Ｄのガイド部２０Ｄ内に吸引されている部分の開放端６０Ｄ付近において、流出経路が筐体部１０Ｄ側に形成されている場合は押圧感が強く、流出経路が開放端６０Ｄ側に形成されている場合は吸引感が強い、という具合に周全体にわたってマッサージ感を変化させることが可能となる。よって使用者は、開口位置変更手段３０Ｄを旋回軸に沿った方向に移動させることにより、異なるマッサージ感を得ることが可能となる。
また、このときガイド部２０Ｄの開放端６０Ｄと人体の被処理部位８０Ｄからしみでる吐水流の量も変化させることができるため、操作感を変化させることも可能となる。
ここでは、流出経路の位置を、筐体部１０Ｄ側と開放端６０Ｄ側の二つの場合を述べたが、その二つの組み合わせやその中間の位置の場合には、前述したマッサージ感や操作感の間の感覚を実現でき、使用者は好みのマッサージ感や操作感を得ることができる。
【００５９】
ここで、流出部４０Ｄの大きさや個数、および開口位置変更手段３０Ｄは適宜設計される。本実施例では、流出部４０Ｄの旋回軸に沿った方向の長さを開口位置変更手段３０Ｄの旋回軸に沿った方向の長さよりも長くしており、開口位置変更手段３０Ｄの位置によらず必ず流出部４０Ｄによって形成される流出経路が形成されるよう構成されているが、開口位置変更手段３０Ｄの旋回軸に沿った方向の長さを流出部４０Ｄの旋回軸に沿った方向の長さ以上とすることによって、流出部４０Ｄによって形成される流出経路が開口位置変更手段３０Ｄによって妨げられ開口面積を変化させることもでき、ついには閉ざしてしまうことも可能である。
この場合、ガイド部２０Ｄの開放端全周にわたってマッサージ感を変化させたり操作感を調整したりすることができるという効果が得られる。
また、開口位置変更手段３０Ｄに流出制御部が設けられていてもよい。開口位置変更手段３０の移動に伴う流出制御部の移動によって、前述同様に流出経路が変更となり、同様にマッサージ感を変更させることが可能である。
【００６０】
ガイド部２０Ｄと開口位置変更手段３０Ｄとの位置関係を決定するものは、ねじ等で係合するものでもよい。すなわち、ガイド部２０Ｄの外側面にオネジを形成し、開口位置変更手段３０Ｄの内側面にメネジを形成し、それを係合し、ねじ込み度合いを調整することによって、流出経路を旋回軸に沿った方向に変化させることができる。
【００６１】
本実施例においても、前述したように着脱自在に設けたり、保持機構を設けたりしてもよく、これらの場合、前述したと同様の効果が得られる。
【００６２】
つぎに、本発明の第４の実施例として、筐体部とガイド部との間に設けられた流出部の開口面積を変化可能としているガイド部を備えたマッサージヘッドについて説明する。
図１７は第４の実施例の斜視図であり、図１８はその断面図である。
第４の実施例のマッサージヘッド１Ｅも、前述同様の旋回流発生室１１Ｅを内包する筐体部１０Ｅを有している。そして、ガイドリング部２１Ｅとガイドスカート部２２Ｅとからなるガイド部２０Ｅが、筐体部１０Ｅとの間に流出部４１Ｅを形成できるように、ピン６９Ｅおよびバネ７１Ｅを介して配設されている。
【００６３】
ガイド部２０Ｅは、開放端６０Ｅを有し略筒状に設けられたガイドリング部２１Ｅと、ガイドリング部２１に連続的に接続され筐体部１０Ｅの一部を包むよう設けられたガイドスカート部２２Ｅと、から構成されている。このとき、ガイド部２０Ｅと筐体部１０Ｅとの間には、流出部４１Ｅが設けられるよう構成されている。すなわち、ガイド部２０Ｅは筐体部１０Ｅとの間に隙間を持っている。ガイドスカート部２２Ｅは、マッサージヘッド後方（図１８紙面左側）に向けて開口しており、流出部４１Ｅを通って流れてきた水は、マッサージヘッド後方（図１８紙面左側）に向けて流出することになる。このとき周方向全体にわたって流出部４１Ｅを設けることで、旋回流をよりマッサージヘッド後方へ誘導しやすい。
【００６４】
ピン６９Ｅは、ガイド部２０Ｅに設けられたピン穴７０Ｅに挿入され、筐体部１０Ｅに接続されており、ピン６９Ｅの頂部７３Ｅがピン穴７０Ｅよりも大きく形成されていることで、ガイド部２０Ｅが筐体部から外れることを防いでいる。そして、バネ７１Ｅが、ガイド部２０Ｅを筐体部１０Ｅから遠ざける方向（図１８紙面右方向）に付勢するように、ピン６９Ｅ周りに設けられている。すなわち、ガイド部２０Ｅはバネ７１Ｅによって付勢されるため、ピン６９Ｅの頂部７３Ｅに当接する位置で位置決めされる（以降、この状態を通常状態と呼ぶ）。このとき、ガイド部２０Ｅと筐体部１０Ｅとの間に、流出部４１Ｅが設けられている。
【００６５】
ガイド部２０Ｅは旋回軸Ｚに沿った方向（矢印Ｓ２の方向）に移動することができるようピン６９Ｅ及びピン穴７０Ｅは設計されている。
バネ７１Ｅの付勢力に逆らって、ガイド部２０Ｅに筐体部１０Ｅ側（図１８紙面左方向）への力をかけると、バネ７１Ｅは縮み、ガイド部２０Ｅは筐体部１０Ｅに対して、筐体部１０Ｅ側（図１８紙面左方向）に移動する（以降、この状態を押込状態と呼ぶ）。縮小時にバネ７１Ｅが収納可能なよう筐体部１０Ｅにバネ穴７２Ｅが設けられており、ガイド部２０Ｅは筐体部１０Ｅに当接する状態まで移動することができる。このとき、ガイド部２０Ｅと筐体部１０Ｅとの間に設けられていた流出部４１Ｅは閉ざされることになる。
ガイド部２０Ｅにかけていた力を解除すれば、再びバネ７１Ｅの付勢力によってガイド部２０Ｅは押し出され、ピン６９Ｅの頂部７３Ｅに当接する位置で位置決めされる状態（通常状態）に戻る。
【００６６】
次に、マッサージヘッドのマッサージ動作について説明する。
人体の被処理部位８０Ｅにガイド部２０Ｅの開放端６０Ｅをあてがうと、筐体部１０Ｅ内の旋回流発生室１１Ｅにて形成された旋回流によって、負圧部を生じ、人体に対して吸引と押圧の作用を及ぼすことは、前述した通りである。
第４の実施例では、流出部４１Ｅにて形成される流出経路の面積を可変とすることができる。これにより、以下のような効果を得ることが可能となる。
【００６７】
図１９は、人体への作用状態を示す、第４の実施例の通常状態の模式断面図である。すなわち、ガイド部２０Ｅはバネ７１Ｅによって付勢されピン６９Ｅの頂部７３Ｅに当接する位置で位置決めされ、流出部４１Ｅによる流出経路が形成されている。このような状態では、ガイド部２０Ｅ内へと吐水された吐水流は、ガイドリング部２１Ｅの開放端６０Ｅ付近で人体の被処理部位８０Ｅを押し、反転して流出部４１Ｅによる流出経路からマッサージヘッド後方（図１９紙面左方向）へと流出すると共に、開放端６０Ｅと人体の被処理部位８０Ｅとの間からしみだしていく。人体の被処理部位８０Ｅは、旋回中央の吸引力に加えてその周囲が旋回吐水により押されており、吸引感と押圧感を得る。
【００６８】
一方、図２０は、人体への作用状態を示す、第４の実施例の押込状態の模式断面図である。すなわち、ガイドリング部２１Ｅの開放端６０Ｅを人体の被処理部位８０Ｅに対して押し当てることで、ガイド部２０Ｅはバネ７１Ｅの付勢力に逆らって筐体部１０Ｅ側に移動し、流出部４１Ｅによる流出経路は閉ざされている。このような状態では、ガイド部２０Ｅ内へと吐水された吐水流は、ガイドリング部２１Ｅの開放端６０Ｅ付近で人体の被処理部位８０Ｅを押し、開放端６０Ｅと人体の被処理部位８０Ｅとの間からしみだしていく。すなわち、人体の被処理部位８０Ｅは、旋回中央の吸引力に加えてその周囲が旋回吐水によりさらに押され、人体はさらに強い押圧感を受けることになる。
このとき、吐水口７Ｅから開放端６０Ｅとの旋回軸方向の距離も近づくので、人体の被処理部位８０Ｅと吐水口７Ｅとの距離が近づき、旋回流の押圧の影響をより受けることになるとともに、吸引力を受ける吸引領域が減少し、よりマッサージ感のバランスが押圧感が強い方向に傾く。
【００６９】
以上のことから、流出部４１Ｅによって形成される流出経路が形成されている場合よりも形成されていない場合の方が、押圧感が強いマッサージ感を得ることができる。すなわち、図１９の状態と図２０の状態とで、マッサージ感を変化させることが可能となる。よって、使用者は、ガイド部２０Ｅを旋回軸に沿った方向に移動させることにより、異なるマッサージ感を得ることが可能となる。
このとき、使用者は、マッサージヘッド１Ｅの被処理部位８０Ｅへの押し当て力を変化させることで、前述した状態とすることができる。つまり、軽くあてがうと図１９の状態が、強くおしあてると図２０の状態を実現できる。よって、使用者は、容易に手元でマッサージ感を変化させることが可能であり、操作感が向上する。さらに、使用者は、強い押圧感が欲しい場合、えてしてマッサージヘッドを人体に押し付ける傾向にあるが、この人体の直感的な動作にも対応することになり、より優れた装置構成といえる。
また、ガイド部２０Ｅにはバネ７１Ｅの付勢力がかかっているため、押付状態から通常状態への復帰も容易となっており、使用者の好みに合わせてリアルタイムに対応することが可能である。
また、このときガイド部２０Ｅの開放端６０Ｅと人体の被処理部位８０Ｅからしみでる吐水流の量も変化させることができるため、操作感を変化させることも可能となる。
ここでは、流出経路の面積が最大の場合（図１９）と閉じた場合（図２０）を述べたが、もちろんその中間の状態も実現でき、使用者は好みのマッサージ感や操作感を得ることができる。
【００７０】
ガイド部２１Ｅは、後方に延在するガイドスカート部２２Ｅを有しており、吐水口７Ｅから吐水された水の一部をマッサージヘッド１Ｅの後方に逃がすよう流出部４１Ｅが形成されている。このように構成されているので、空気中にて使用する際の開放端６０Ｅ側からの飛散をマッサージヘッド１の後方に逃がすことができ、使用者の使用感が向上する。
【００７１】
また、ガイドスカート部２２Ｅは、流出部４１Ｅに面した側に、複数の整流板を有していてもよい。整流板は、流出部４１Ｅ内に突き出たリブ状の形状をなしており、旋回軸に沿った方向に略平行に延在している。
このように形成された整流板は、流出部４１Ｅを流れる吐水流を整流する静翼として作用する。流出部４１Ｅを流れてマッサージヘッド１Ｅの側方または後方に流出する戻り吐水流は旋回成分を保持しており、このため流出部４１Ｅから側方や後方に向けて飛散し、使用者に不快感を与える場合がありえる。整流版を設けることで、これら戻り吐水流が有する旋回成分を吸収し、戻り吐水流の飛散を抑制することができる。
このとき、旋回成分をさらに吸収できるように、整流板を傾斜させて設けたり、ひねりを与えて設けたりしてもよい。
【００７２】
ガイドリング部２１Ｅは、円筒状はもとより、多角筒状や、旋回軸方向に拡開されていたり絞られていたりする形状等、適宜設計される。
とくに、マッサージヘッド１Ｅの後方（吐水口が向いている方向を前方とする）に向けて徐々に径が拡がり、ガイドスカート部２２Ｅに連続的に連なるよう構成してもよい。このようにすると、吐水をマッサージヘッド１Ｅの後方に逃がすための流出部４１Ｅを拡げることができ、より前述したマッサージ感の変化の幅をもたせることができる。また、通常状態において、流出部４１Ｅ側への流出量を増やし開放端６０Ｅ付近の人体被処理部位８０Ｅへの旋回流の寄与を減らすことが可能なため、吸引感重視のマッサージ感とすることができる。押込状態では、押圧感重視のマッサージ感となるため、マッサージ感の変化の幅をもたせることができ、使用者の使用感が向上する。
【００７３】
また、空気中での使用の場合、流出部４１Ｅから空気がガイド内に侵入し負圧部が形成することを妨げる可能性があるが、このとき、流出部４１Ｅの開口面積を調整することによって、空気の侵入を防ぎ、所期の吸引作用を実現することができる。
【００７４】
本実施例においても、前述したように保持機構を設けてもよく、前述したと同様の効果が得られる。また、ガイド部２０Ｅを着脱自在に設けてもよい。
【００７５】
つぎに、本発明の第５の実施例として、筐体部とガイド部との間に設けられた流出部の開口面積を変化可能としている流出部可変手段を備えたマッサージヘッドについて説明する。
図２１および図２２は第５の実施例の断面図であり、図２１は流出経路が形成されている状態、図２２は流出経路が閉じている状態を示す。
第５の実施例のマッサージヘッド１Ｆも、前述同様の旋回流発生室１１Ｆを内包する筐体部１０Ｆを有している。また、ガイドリング部２１Ｆとガイドスカート部２２Ｆとからなるガイド部２０Ｆが、筐体部１０Ｆとの間に流出部４１Ｆを形成しながら、筐体部１０Ｆに接続されている。そして、流出部４１Ｆの開口面積を変化させることができる流出部可変手段５１Ｆが、旋回軸Ｚに沿った方向に移動可能なよう、筐体部１０Ｆに設けられている。
【００７６】
流出部可変手段５１Ｆは、リング状の面積可変リング５２Ｆと、面積可変リング５２Ｆに接続されその周方向に複数配置された支えピン５３Ｆと、面積可変リング５２Ｆに接続され操作突起５６Ｆを有する操作バー５５Ｆと、から構成されている。
筐体部１０Ｆには、支えピン５３Ｆが挿入される支えピン穴５４ＦＡと、操作バー５５Ｆが挿入される操作バー穴５４ＦＢと、操作突起５６Ｆが旋回軸Ｚに沿った方向（矢印Ｓ３方向）に移動可能なよう設けられた切欠５７Ｆと、が設けられている。
流出部可変手段５１Ｆは、支えピン穴５４ＦＡに支えピン５３Ｆを挿入し、操作バー穴５４ＦＢに操作バー５５Ｆを挿入することで、移動可能なよう筐体部１０Ｆに配設されている。このとき、操作突起５６Ｆは、筐体部１０Ｆの外面から突出するよう設けられている。
またさらに、操作バー５５Ｆにはラッチ溝５８Ｆが、筐体部１０Ｆには板バネ５９Ｆが設けられており、矢印Ｓ３方向の位置決めを行えるよう保持機構を形成している。
【００７７】
このように設けられた流出部可変手段５１Ｆは、旋回軸Ｚに沿った方向（矢印Ｓ３方向）に移動することにより、流出部４１Ｆの開口面積を変化させることができる。すなわち、操作突起５６Ｆを操作しその位置を旋回軸Ｚに沿った方向（矢印Ｓ３方向）に移動させることにより、面積可変リング５２Ｆを流出部４１Ｆ内に突出させ、その開口面積を狭め、ついには閉ざすことができる（図２２の状態）。
【００７８】
前述同様に開放端６０Ｆを人体被処理部位にあてがいマッサージを行う際に、流出部４１Ｆによる流出経路の開口面積を変化可能であるため、マッサージ感に変化をもたらすことができる。すなわち、流出経路が閉じた場合には押圧感が増し、流出経路が形成された場合は吸引感が増す、というように、マッサージ感のバランスが調整可能となる。
このとき、ガイド部２０Ｆと筐体部１０Ｆとの位置関係は変化しない。使用者は、筐体部１０Ｆの外面に突出した操作突起５６Ｆを操作することで、容易に手元でマッサージ感に変化をもたらすことができ、好みのマッサージ感に調整することが可能となるため、使用感が向上する。
さらには、ガイド２０Ｆの開放端６０Ｆと人体の被処理部位との間から流れ出る水量を調整可能となるので、開放端６０Ｆを人体上にあてがいながらマッサージヘッド１Ｆを移動させる場合の操作感が調整でき、操作性が向上する。
【００７９】
ガイド部２０Ｆと筐体部１０Ｆの接続方法としては、前述した整流板によって接続するよう構成することができる。この場合、飛散を抑制できるため、使用者の使用感が向上する。
【００８０】
つぎに、本発明の第６の実施例として、ガイド部内側の水圧の上昇によって変形する水圧調整手段を備えたマッサージヘッドについて説明する。
図２３は、第６の実施例のガイド部の模式断面図であり、図２３（ａ）は流出経路が閉じた状態、図２３（ｂ）は流出経路が開いた状態を示している。
第６の実施例のマッサージヘッドも、前述同様の旋回流発生室を内包する筐体部（図示しない）を有しており、そして図２３に示すガイド部２０Ｇが筐体部に接続されている。ガイド部２０Ｇは、側面に流出部４０Ｇを有している。そしてさらに、流出部４０Ｇには水圧調整手段としての穴調整ゴム４２Ｇが備えてある。
【００８１】
穴調整ゴム４２Ｇは、中央部に小穴４５Ｇが開いており、変形することによって小穴４５Ｇの開度が調整可能となっている。すなわち、ガイド部２０Ｇの内側の圧力が上昇すると、穴調整ゴム４２Ｇが変形し、小穴４５Ｇの開度を開き、内側の圧力の上昇を緩和する働きを有している。
【００８２】
このように構成されたマッサージヘッドを用いて、ガイド部２０Ｇの開放端６０Ｇを人体の被処理部位にあてがってマッサージを行うと、旋回流によって、負圧および押圧効果を得ることができる。
このとき、人体の被処理部位に対する開放端６０Ｇのあてがい度合いによって、ガイド部２０Ｇの内圧は変化する。すなわち、軽くあてがっている場合に比べて強くあてがった場合は、開放端６０Ｇと人体の被処理部位との密着性が増し、内圧は上昇する。そして、穴調整ゴム４２Ｇの小穴４５Ｇの開度が開くことになる。つまり、軽くあてがっている場合は、図２３（ａ）に示したように、小穴４５Ｇの開度は小さく、吐水流は開放端６０Ｇから流出し、強くあてがっている場合は、図２３（ｂ）に示したように、小穴４５Ｇの開度は大きく、吐水流は流出部４０Ｇおよび小穴４５Ｇとを通って流出し、開放端６０Ｇからの流出量は減少することになる。よって、吐水流の流出状態が変化するため、人体に対するマッサージ感を変化させることが可能となる。こうして、使用者は、手元でマッサージ感を変化させ、好みに合わせて調整することが可能となる。
【００８３】
また、マッサージ中に急激な水圧変動が起きたとしても、内圧の変化を小穴４５Ｇの開度で緩和することが可能なため、吐水流によって人体被処理部位へ過度に押圧が加わることを抑制でき、快適にマッサージを行うことができる。
【００８４】
このような水圧調整手段として、図２４のような開度調整扉４３Ｈによって構成されるものでもよい。
図２４は、ガイド部の模式断面図であり、図２４（ａ）は流出経路が閉じた状態、図２４（ｂ）は流出経路が開いた状態を示している。
開度調整扉４３Ｈは、ガイド部２０Ｈに設けられた回動突起４４Ｈ回りに回動するよう設けられ、トーションバネ（図示しない）によって、流出部４０Ｈをふさぐ方向に付勢されている。付勢力よりも大きい力が加わると、開度調整扉４３Ｈは、回動突起４４Ｈ回りに回動し、流出部４０Ｈの開度を開く。すなわち、ガイド部２０Ｈの内側の圧力が上昇すると、開度調整扉４３Ｈが回動し、内側の圧力の上昇を緩和する働きを有している。
このとき、開度調整扉４３Ｈの回動方向は、吐水流の吐水方向や旋回流の旋回方向に合わせるのが好ましく、この場合、開度調整扉４３Ｈの回動動作をスムーズにすることができる。
【００８５】
第６の実施例では、水圧調整手段がガイド部に設けられた流出部に備えられたマッサージヘッドを述べたが、ガイド部と筐体部との間に設けられた流出部に水圧調整手段を備えても、同様の効果が得られる。
【００８６】
以上、図１乃至図２４を参照しつつ本発明のマッサージヘッドについて説明した。次に、これらのマッサージヘッドを用いた本発明のマッサージシステムについて説明する。
すなわち、図１乃至図２４に関して前述した本発明のマッサージヘッドを、送水手段などと組み合わせることにより、吸引マッサージが実施可能なマッサージシステムが実現する。
図２５及び図２６は、本発明のマッサージシステムの第１実施例を、斜め正面側、及び斜め後方側からそれぞれ眺めた模式図である。  
また、図２７は、このマッサージシステムの要部構成を表すブロック図である。
【００８７】
すなわち、本実施例のマッサージシステムをその外部から眺めると、筐体９０と、その正面から伸びる可撓性ホース９１と、その先端に設けられたマッサージヘッド１と、を有する。筐体９０には、電源スイッチ９２、流量調節バルブ９３、取水口９４、持ち穴９５、電源コード９６などが適宜設けられている。筐体９０の内部には、送水手段９７が収容されている。送水手段９７は、例えば耐水処理が施された電動式の送水ポンプを内蔵し、取水口９４から取り入れた水（お湯）を可撓性ホース９１を介してマッサージヘッド１に送出する。送水ポンプは、例えば、筐体９０の外部から交流または直流の電力の供給を受けるようにしてもよく、または、筐体９０の中に充電池などの電源を内蔵して電力を供給してもよい。いずれの場合にも、浴槽内の湯に沈めて安全に使用できるよう、所定の耐水処理が適宜実施されている。
また、旋回流に気泡を混入させる場合は、マッサージヘッド１の旋回室底面に設けられた空気取り込み用の小穴が外気と通じるよう、空気配管が適宜設けられる。
【００８８】
一方、マッサージヘッド１は、図２５に例示した如く、シャワーヘッドに類似した外観を有する。同図に表したマッサージヘッド１αは、その先端付近を「わしづかみ」にして用いるのに適した形状を有する。またマッサージヘッド１βは、通常のシャワーヘッドの如くその根本部分を保持して用いるのに適した形状を有する。  
これらマッサージヘッド１（１α、１β）は、図１乃至図２４に関して前述したように、流出部の位置や面積が変更可能に設けられている。
【００８９】
図２８は、本実施例のマッサージシステムの使用状態を説明するための模式図である。すなわち、使用者２００は、湯１１０をはった浴槽１００の中に本発明のマッサージシステムを設置し、筐体９０の上に腰掛けた状態でマッサージヘッド１を操作することができる。この際、前述したように旋回吐水により形成される水膜によりガイド部先端６０の周囲が覆われるため、人体の被処理部位８０の表面は水膜に保護され、人体はマッサージヘッドから過度の摩擦抵抗を受けず、不快な刺激が無く、使用感に優れる。浴槽内の水（お湯）の中に浸した状態で用いると、吸引力を低下させる空気層（空洞）が旋回室内に形成されることを抑制でき、より効果的である。また、浴槽１００内のお湯１１０を循環使用する点で、節水効果も高い。
【００９０】
本実施例のマッサージシステムによれば、図１乃至図２４に関して前述したように、流出部の位置や面積が変更可能に設けられているため、使用者は、被処理部位に応じて、好みに応じたマッサージ感を手元で変更することができ、快適なマッサージを実施することができる。
【００９１】
また、マッサージヘッド１が筐体９０に対して可撓性ホース９１により接続されているので、マッサージヘッド１を使用者の身体のあらゆる部分の被処理部位に対して柔軟且つ自在にあてることができる。
【００９２】
また、本実施例によれば、使用者２００は、コンパクトな筐体９０の上に腰掛けた状態でマッサージヘッド１を操作できる。その結果、使用者２００は、常にリラックスした状態で吸引マッサージすることができる。またさらに、上半身、例えば脇の下から二の腕を吸引マッサージするような場合でも、マッサージヘッド１を浴槽の湯１１０の中に浸した状態で操作することが可能である。しかも、マッサージしづらいヒップや太ももの裏側などが、腰掛けていることにより浴槽底面から浮いた状態となることにより、マッサージするスペースが生じ、下半身、例えば、ヒップや太ももの裏側まで、まんべんなく吸引マッサージすることができる。従って、これらの部位につきやすい「セルライト（老廃物と脂肪の塊）」を揉みほぐすことにより、老廃物の排出を促進し、セルライトを正常な脂肪に改善することができる。その結果として、人体の「引き締め効果」が得られる。
【００９３】
図２９は、本発明のマッサージシステムの第２実施例を表す模式図である。すなわち、同図は、浴槽１００と組み合わされたマッサージシステムを表す。  
本実施例の場合、浴槽１００の中にマッサージヘッド収容部１２０が設けられ、図１乃至図２４に関して前述した本発明のマッサージヘッド１は、このマッサージヘッド収容部１２０に収容可能とされている。そして、送水手段９７は、水配管９８を介して浴槽１００の中の水（お湯）を取水し、可撓性ホース９１を介してマッサージヘッド１に送出する。
【００９４】
本実施例においては、図２９（ａ）に表したように、マッサージヘッド収容部１２０にマッサージヘッド１を収納した状態で、使用者は、浴槽１００内に入浴しマッサージヘッド１に被処理部位をあてがうことにより吸引押圧マッサージを受けることができる。この時、マッサージヘッド１は、水没していてもよく、お湯よりも上に露出していてもよい。但し、マッサージヘッド１を水没させたほうがより強い吸引マッサージを受けることができる。  
また一方、図２９（ｂ）に表したように、マッサージヘッド１をマッサージヘッド収容部１２０から取り外して用いることができる。本実施例においては、マッサージヘッド１は、可撓性ホース９１により接続されているので、使用者は、マッサージヘッド１を自由な位置に移動させ、被処理部位にあてて使用することができる。
【００９５】
なお、本実施例においても、送水手段９７により浴槽１００内のお湯（水）をマッサージヘッド１に供給する。つまり、浴槽１００内のお湯を循環使用する点で、節水効果が高い。そして、図１乃至図２４に関して前述したように、流出部の位置や面積が変更可能に設けられているため、使用者は、被処理部位に応じて、好みに応じたマッサージ感を手元で変更することができ、快適なマッサージを実施することができる。
【００９６】
図３０は、本発明のマッサージシステムの第３の実施例を表す模式図である。
本実施例においては、浴槽１００のお湯を循環させる送水手段の代わりに、お湯（または水）の供給部９９が設けられている。供給部９９としては、例えば、浴槽１００にお湯を供給するための給湯器や、水道の蛇口等が挙げられる。
【００９７】
本実施例の場合には、供給部９９を設けることより、浴槽１００内にお湯がない状態においても、本発明のマッサージヘッド１を用いた吸引押圧マッサージを受けることができる。もちろん、浴槽１００内にお湯がはられた状態においても、吸引押圧マッサージを同様に実施することができる。  
そして、図３０（ｂ）に表したように、可撓性ホース９１を伸ばすことにより、マッサージヘッド１を取り外して所望の被処理部位に向けて使用することができる。また、本実施例においては、図２９に関して前述したような送水手段９７や循環のための水配管９８を設ける必要がないため、マッサージシステムの構造を簡略化させ、低コストで提供することが可能である。
そして、図１乃至図２４に関して前述したように、流出部の位置や面積が変更可能に設けられているため、使用者は、被処理部位に応じて、好みに応じたマッサージ感を手元で変更することができ、快適なマッサージを実施することができる。
【００９８】
また、マッサージヘッド収容部１２０が、浴槽１００の周縁の、いわゆる「エプロン」の部分に、設けられていてもよい。吸引押圧マッサージを実施する場合には、マッサージヘッド１を簡単に取り外し、使用者の人体の各所に容易にあてがうことができる。マッサージヘッド収容部１２０を浴槽１００のエプロンに設置すると、マッサージヘッド１を取り外すことが極めて容易となる。また、浴槽１００内に入浴した状態で、マッサージヘッド１が邪魔になる心配もない。
【００９９】
以上、具体例を参照しつつ本発明の実施の形態について説明した。しかし、本発明は、これら具体例に限定されるものではない。
すなわち、本発明のマッサージヘッド及びマッサージシステムを構成するいずれかの要素について当業者が設計変更を加えたものであっても、本発明の要旨を備えたものであれば、本発明の範囲に包含される
【０１００】
例えば、マッサージヘッドの外形や、吐水口とのサイズの比率、あるいは入水部の位置関係などについては、旋回流が得られ、その結果として負圧部が形成される範囲内であれば、本発明に包含される。
【図面の簡単な説明】
【０１０１】
【図１】本発明の実施の形態にかかるマッサージヘッドの斜視図である。
【図２】本発明の実施の形態にかかるマッサージヘッドの正面図である。
【図３】図２のＡ−Ａ線断面図である。
【図４】図１のガイド部及び開口位置変更手段を分離させた分解図である。
【図５】図３のＢ−Ｂ線断面図である。
【図６】図１の状態から開口位置変更手段を９０°回動させた状態の斜視図である。
【図７】人体への作用状態を示す、図１に対応した模式断面図である。
【図８】人体への作用状態を示す、図６に対応した模式断面図である。
【図９】本発明の実施の形態の変形例にかかるマッサージヘッドのガイド部及び開口位置変更手段を示す側面図である。
【図１０】本発明の第２の実施例のマッサージヘッドの斜視図である。
【図１１】本発明の第２の実施例のマッサージヘッドのガイド部及び開口位置変更手段の流出経路の開度状態を示す側面図である。
【図１２】本発明の第３の実施例のマッサージヘッドの斜視図である。
【図１３】図１２のガイド部及び開口位置変更手段を分離させた分解図である。
【図１４】図１２の状態から開口位置変更手段をガイド部開放端側に引き出した斜視図である。
【図１５】人体への作用状態を示す、図１２に対応した模式断面図である。
【図１６】人体への作用状態を示す、図１４に対応した模式断面図である。
【図１７】本発明の第４の実施例のマッサージヘッドの斜視図である。
【図１８】第４の実施例の断面図である。
【図１９】人体への作用状態を示す、第４の実施例の模式断面図である。
【図２０】人体への作用状態を示す、第４の実施例の模式断面図である。
【図２１】本発明の第５の実施例の、断面図である。
【図２２】本発明の第５の実施例の、流出部を閉じた状態を示す、断面図である。
【図２３】本発明の第６の実施例のガイド部の模式断面図である。
【図２４】水圧調整手段の変形例である。
【図２５】本発明のマッサージシステムの第１実施例を斜め正面側から眺めた模式図である。
【図２６】本発明のマッサージシステムの第１実施例を斜め後方側から眺めた模式図である。
【図２７】本発明のマッサージシステムの第１実施例の要部構成を表すブロック図である。
【図２８】マッサージシステムの第１実施例の使用状態を説明するための模式図である。
【図２９】マッサージシステムの第２実施例を表す模式図である。
【図３０】マッサージシステムの第３実施例を表す模式図である。
【符号の説明】
【０１０２】
１   マッサージヘッド
３   吐水部
４   接続部
５   導入路
６   入水部
７   吐水口
８   旋回流発生部
９   旋回流路
１０   筐体部
１１   旋回流発生室
２０   ガイド部
２１Ｅ   ガイドリング部
２２Ｅ   ガイドスカート部
３０   開口位置変更手段
４０   流出部
４１Ｅ   流出部
４２Ｇ   穴調整ゴム
４３Ｈ   開度調整扉
４４Ｈ   回動突起
４５Ｇ   小穴
５０   流出制御穴
５１Ｆ   流出部可変手段
５２Ｆ   面積可変リング
５３Ｆ   支えピン
５４ＦＡ   支えピン穴
５４ＦＢ   操作バー穴
５５Ｆ   操作バー
５６Ｆ   操作突起
５７Ｆ   切欠
５８Ｆ   ラッチ溝
５９Ｆ   板バネ
６０   開放端
６１   突起
６２   回動溝
６３   装着溝
６４   端部
６５   枠部
６６Ｂ   板バネ
６７Ｂ   固定溝
６８Ｄ   移動溝
６９Ｅ   ピン
７０Ｅ   ピン穴
７１Ｅ   バネ
７２Ｅ   バネ穴
７３Ｅ   頂部
８０   被処理部位
９０   筐体
９１   可撓性ホース
９２   電源スイッチ
９３   流量調節バルブ
９４   取水口
９５   持ち穴
９６   電源コード
９７   送水手段
９８   水配管
９９   供給部
１００   浴槽
１１０   湯
１２０   マッサージヘッド収容部
２００   使用者
Ｚ   旋回軸
【図１】
2005102813.tif 000003
【図２】
2005102813.tif 000004
【図３】
2005102813.tif 000005
【図４】
2005102813.tif 000006
【図５】
2005102813.tif 000007
【図６】
2005102813.tif 000008
【図７】
2005102813.tif 000009
【図８】
2005102813.tif 000010
【図９】
2005102813.tif 000011
【図１０】
2005102813.tif 000012
【図１１】
2005102813.tif 000013
【図１２】
2005102813.tif 000014
【図１３】
2005102813.tif 000015
【図１４】
2005102813.tif 000016
【図１５】
2005102813.tif 000017
【図１６】
2005102813.tif 000018
【図１７】
2005102813.tif 000019
【図１８】
2005102813.tif 000020
【図１９】
2005102813.tif 000021
【図２０】
2005102813.tif 000022
【図２１】
2005102813.tif 000023
【図２２】
2005102813.tif 000024
【図２３】
2005102813.tif 000025
【図２４】
2005102813.tif 000026
【図２５】
2005102813.tif 000027
【図２６】
2005102813.tif 000028
【図２７】
2005102813.tif 000029
【図２８】
2005102813.tif 000030
【図２９】
2005102813.tif 000031
【図３０】
2005102813.tif 000032